(57)【特許請求の範囲】
【請求項１】
第１の解像度で表示する第１の表示装置と第２の解像度で表示する第２の表示装置とに情報を表示する情報処理装置であって、
前記第１の表示装置での第１の入力領域へ表示する情報の入力を受け付ける第２の入力領域の起動指示を、前記第２の表示装置上で受け付ける受付部と、
前記受付部によって前記起動指示が受け付けられたときの前記第２の表示装置でのカーソルの位置を取得する取得部と、
前記第２の入力領域の前記第２の表示装置での表示位置を、前記取得部によって取得された前記カーソルの位置に基づいて決定する決定部と、
前記決定部によって決定された前記表示位置に前記第２の入力領域を表示させる表示制御部と、
を備えることを特徴とする情報処理装置。
【請求項２】
前記決定部は、
前記第２の表示装置で表示される複数のデータのうち、ユーザにより指定された一のデータを表示する表示領域内に前記カーソルが位置する場合、前記第２の入力領域の前記第２の表示装置での表示位置を、前記カーソルの位置に決定することを特徴とする請求項１に記載の情報処理装置。
【請求項３】
前記決定部は、
前記第２の表示装置で表示される複数のデータのうち、ユーザにより指定された一のデータを表示する表示領域内に前記カーソルが位置する場合、前記第２の入力領域の前記第２の表示装置での表示位置を、前記第２の表示装置の表示領域のうち前記一のデータの表示領域以外の領域に決定することを特徴とする請求項１に記載の情報処理装置。
【請求項４】
前記決定部は、
前記第２の表示装置で表示される複数のデータのうち、ユーザにより指定された一のデータを表示する表示領域内に前記カーソルが位置する場合、他のデータの表示領域のうち前記一の画像データの表示領域に隣接する隣接表示領域であって、かつ前記カーソルの位置に最も近い隣接表示領域に、前記第２の入力領域の表示位置を決定することを特徴とする請求項１に記載の情報処理装置。
【請求項５】
前記決定部は、
前記第２の表示装置で表示される複数の画像データのうちユーザに指定された一の画像データの表示領域に含まれる被写体以外を表示する領域と、前記一の画像データの表示領域と隣接する他の画像データの表示領域の少なくとも一部とを含む非重複領域に、前記第２の入力領域の表示位置を決定することを特徴とする請求項１に記載の情報処理装置。
【請求項６】
前記決定部は、
前記非重複領域が複数候補存在する場合、前記第２の入力領域の前記第２の表示装置での表示位置を、最大面積の非重複領域に決定することを特徴とする請求項５に記載の情報処理装置。
【請求項７】
前記決定部は、
前記非重複領域が複数候補存在する場合、所定の基準に満たない候補を除外することを特徴とする請求項５または６に記載の情報処理装置。
【請求項８】
前記受付部は、
前記第２の入力領域に入力された情報の前記第１の入力領域への反映指示を受け付け、
前記表示制御部は、
前記受付部によって反映指示が受け付けられたときに前記第２の入力領域に表示されている情報を、前記第１の入力領域に表示させることを特徴とする請求項１〜７のいずれか一つに記載の情報処理装置。
【請求項９】
第１の解像度で表示する第１の表示装置と第２の解像度で表示する第２の表示装置とに情報を表示する情報処理装置が、
前記第１の表示装置での第１の入力領域へ表示する情報の入力を受け付ける第２の入力領域の起動指示を、前記第２の表示装置上で受け付け、
前記起動指示が受け付けられたときの前記第２の表示装置でのカーソルの位置を取得し、
前記第２の入力領域の前記第２の表示装置での表示位置を、取得された前記カーソルの位置に基づいて決定し、
決定された前記表示位置に前記第２の入力領域を表示させる、
処理を実行することを特徴とする情報処理方法。
【請求項１０】
第１の解像度で表示する第１の表示装置と第２の解像度で表示する第２の表示装置とに情報を表示する情報処理装置に、
前記第１の表示装置での第１の入力領域へ表示する情報の入力を受け付ける第２の入力領域の起動指示を、前記第２の表示装置上で受け付け、
前記起動指示が受け付けられたときの前記第２の表示装置でのカーソルの位置を取得し、
前記第２の入力領域の前記第２の表示装置での表示位置を、取得された前記カーソルの位置に基づいて決定し、
決定された前記表示位置に前記第２の入力領域を表示させる、
処理を実行させることを特徴とする情報処理プログラム。
【発明の詳細な説明】
【技術分野】
【０００１】
本発明は、情報を処理する情報処理装置、情報処理方法、および情報処理プログラムに関する。
【背景技術】
【０００２】
従来、情報処理の分野において、複数の表示装置（ディスプレイ）を使用して作業領域を広げることで、作業の効率化を図るマルチディスプレイの技術があった。例えば、医療機関の読影医の作業環境では、読影医により読影される患者などの被写体の撮影画像を表示する高解像度のディスプレイと、読影医が撮影画像を読影した結果である所見を入力する入力欄を表示するディスプレイと、が使用されている。なお、以下では、読影医が読影する撮影画像を読影画像という。読影とは、撮影画像に基づいて、患者などの被写体に対する診断を行い、所見を作成することである。従来技術としては、１台の表示装置で、読影画像と所見の入力欄とを表示する技術がある（例えば、下記特許文献１参照）。
【先行技術文献】
【特許文献】
【０００３】
【特許文献１】特開２０１０−１２８９７１号公報
【発明の概要】
【発明が解決しようとする課題】
【０００４】
しかしながら、上述した従来技術は、マルチディスプレイの作業環境には適用できないといった問題があった。また、マルチディスプレイの作業環境では、ディスプレイ間のマウスカーソルの移動が多くなり、マウスの操作量が増えて利用者の負担になるといった問題があった。特に、読影医は、所見入力と画像操作（断層画像のスライス位置変更や拡大縮小など）を何度も行うために、読影医の操作負担が大きい。また、解像度が異なるディスプレイでは、マウスカーソルの移動速度が異なるため、読影医の作業環境に起因して、特に解像度の高い方のディスプレイ上でのマウスの操作量がより増えて利用者の負担になるといった問題があった。
【０００５】
本発明は、上述した従来技術による問題点を解消するため、異なる解像度の複数のディスプレイを利用して行われる入力作業と画像操作とを含む作業の負担の軽減化を図ることができる情報処理装置、情報処理方法、および情報処理プログラムを提供することを目的とする。
【課題を解決するための手段】
【０００６】
上述した課題を解決し、目的を達成するため、本発明の一側面によれば、第１の解像度で表示する第１の表示装置と第２の解像度で表示する第２の表示装置とに情報を表示し、第１の表示装置での第１の入力領域へ表示する情報の入力を受け付ける第２の入力領域の起動指示を、第２の表示装置上で受け付け、起動指示が受け付けられたときの第２の表示装置でのカーソルの位置を取得し、第２の入力領域の第２の表示装置での表示位置を、取得されたカーソルの位置に基づいて決定し、決定された表示位置に第２の入力領域を表示させる情報処理装置、情報処理方法、および情報処理プログラムが提案される。
【発明の効果】
【０００７】
本発明の一側面によれば、異なる解像度の複数のディスプレイを利用して行われる入力作業と画像操作とを含む作業の負担の軽減化を図ることができるという効果を奏する。
【図面の簡単な説明】
【０００８】
【図１】図１は、マルチディスプレイにおける読影医用端末による読影医の入力支援の具体例を示す説明図（その１）である。
【図２】図２は、マルチディスプレイにおける読影医用端末による読影医の入力支援の具体例を示す説明図（その２）である。
【図３】図３は、マルチディスプレイにおける読影医用端末による読影医の入力支援の具体例を示す説明図（その３）である。
【図４】図４は、読影医用端末１００による所見簡易入力画面Ｗ２の表示例１を示す説明図である。
【図５】図５は、読影医用端末１００による所見簡易入力画面Ｗ２の表示例２を示す説明図である。
【図６】図６は、読影医用端末１００による所見簡易入力画面Ｗ２の表示例３を示す説明図（その１）である。
【図７】図７は、読影医用端末１００による所見簡易入力画面Ｗ２の表示例３を示す説明図（その２）である。
【図８】図８は、マルチディスプレイにおける読影医用端末１００による表示支援の具体例１を示す説明図である。
【図９】図９は、マルチディスプレイにおける読影医用端末１００による表示支援の具体例２を示す説明図である。
【図１０】図１０は、実施の形態１にかかる情報処理システムの一例を示す説明図である。
【図１１】図１１は、実施の形態１にかかる読影医用端末１００のハードウェア構成例を示すブロック図である。
【図１２】図１２は、電子カルテＤＢ１０２１の記憶内容の一例を示す説明図である。
【図１３】図１３は、所見ＤＢ１０３５の記憶内容の一例を示す説明図である。
【図１４】図１４は、読影医用端末１００の機能的構成を示すブロック図である。
【図１５】図１５は、表示制御処理の処理内容の詳細を示すフローチャートである。
【発明を実施するための形態】
【０００９】
以下に添付図面を参照して、この発明にかかる情報処理装置、情報処理方法、および情報処理プログラムの実施の形態を詳細に説明する。情報処理装置は、マルチディスプレイにおいて、情報を入力する入力領域を表示するディスプレイと作業領域を表示するディスプレイとの間でマウスカーソルを移動させることにより生じる利用者の負担を軽減する。そのために、情報処理装置は、入力領域を表示するディスプレイに表示されている入力領域へ入力すべき情報について、作業領域を表示するディスプレイ上で入力できるようにした予備的な入力領域を、他方のディスプレイに表示する。
【００１０】
以下では、情報処理装置として、読影医の使用する読影医用端末を例に挙げて、情報処理装置の実施の形態を説明する。読影医用端末は、読影画像が表示されるディスプレイと所見入力欄が表示されるディスプレイとの間でのマウスカーソルを移動させるために増加していたマウスの操作量を減らして、読影医の負担を軽減する。そのために、読影医用端末は、読影画像が表示されるディスプレイにおいて所見簡易入力画面を表示し、所見入力欄に入力すべき情報を、読影画像が表示されるディスプレイに表示された所見簡易入力画面で入力できるようにする。これにより、マウスカーソルの移動距離を短くして、読影医のマウスの操作量を減少させて負担を軽減する。
【００１１】
（本実施の形態にかかる読影医用端末による処理の内容）
図１〜図９を用いて、本実施の形態にかかる読影医用端末による処理の内容について説明する。
【００１２】
（マルチディスプレイにおける読影医用端末による読影医の入力支援の具体例）
まず、図１〜図３を用いて、マルチディスプレイにおける読影医用端末による読影医の入力支援の具体例について説明する。
【００１３】
図１〜図３は、マルチディスプレイにおける読影医用端末による読影医の入力支援の具体例を示す説明図である。図１〜図３に示すように、読影医用端末１００は、ディスプレイＤ１と、ディスプレイＤ２と、キーボードＫと、マウスＭと、を備える。
【００１４】
ここで、ディスプレイＤ１は、患者の情報と、前回の所見と、読影画像Ｐに基づく読影医の所見と、を表示する表示装置である。ディスプレイＤ１において、患者の情報と、前回の所見と、の表示は、読影医によるタブＴの操作によって切り替えられる。所見とは、例えば、患者に対する読影医による読影画像Ｐに基づいた診断や意見などである。
【００１５】
ここで、ディスプレイＤ２は、複数の読影画像Ｐを表示する高解像度の表示装置である。読影画像Ｐとは、読影の対象の画像であり、被写体である生体の画像である。被写体（生体）は、人であってもよいし、また、人以外の動物であってもよい。読影画像Ｐは、例えば、人の腹部のＣＴ（Ｃｏｍｐｕｔｅｄ  Ｔｏｍｏｇｒａｐｈｙ）画像、ＭＲＩ（Ｍａｇｎｅｔｉｃ  Ｒｅｓｏｎａｎｃｅ  Ｉｍａｇｉｎｅ）画像、ＲＩ（Ｒａｄｉｏｉｓｏｔｏｐｅ）画像などである。また、撮影対象部位は体内に限るものではなく、例えば、皮膚などであってもよい。また、読影画像Ｐは、平面画像であってもよいし、立体画像であってもよい。
【００１６】
ここで、キーボードＫおよびマウスＭは、読影医からの操作を受けて、読影医用端末１００に情報を入力する入力装置である。キーボードＫおよびマウスＭは、ディスプレイＤ２に表示される読影画像Ｐを操作する（例えば、読影画像Ｐを拡大し、縮小し、または読影画像Ｐを入れ替える）際に、また、所見を入力する際に、読影医によって使用される。なお、ディスプレイ２において、操作の対象になっている選択中の読影画像は、黒枠で囲われている読影画像である。
【００１７】
以下では、読影医によって読影画像Ｐに基づく所見が読影医用端末１００に入力されるまでの過程を例に挙げて、読影医用端末１００による読影医の入力支援の具体例について説明する。
【００１８】
まず、図１に示すように、読影医用端末１００は、読影医からのメニューＬの呼び出しを受け付ける。例えば、読影医用端末１００は、読影医によって、ディスプレイＤ２で選択中の読影画像Ｐ上にマウスカーソルが存在する状態で、マウスＭの第２ボタンが押下（いわゆる右クリック）されたことを、メニューＬの呼び出しとして受け付ける。
【００１９】
そして、読影医用端末１００は、メニューＬの呼び出しを受け付けると、実行可能な処理の項目を示すメニューＬ（ここでは、コンテキストメニューＬ）を、ディスプレイＤ２のマウスカーソルの近傍に表示する。ここで、例えば、読影医用端末１００は、「拡大」、「縮小」、および「所見簡易入力」といった実行可能な処理の項目を示すコンテキストメニューＬを表示する。
【００２０】
次に、読影医用端末１００は、読影医からの所見簡易入力起動指示を受け付ける。例えば、読影医用端末１００は、読影医によって、マウスカーソルが「所見簡易入力」の項目の位置に移動された状態で、マウスＭの第１ボタンが押下（いわゆる左クリック）されたことを、所見簡易入力起動指示として受け付ける。
【００２１】
なお、読影医用端末１００は、読影医によってマウスＭが操作されたことに限らず、読影医によってキーボードＫが操作されたことを、メニューＬの呼び出し、または、所見簡易入力起動指示として、受け付けてもよい。例えば、読影医用端末１００は、読影医によって、キーボードＫのアプリケーションキーが押下されたことを、メニューＬの呼び出しとして、受け付けてもよい。また、読影医用端末１００は、読影医によって、キーボードＫのカーソルキーが押下されることで「所見簡易入力」の項目が選択された状態で、エンターキーが押下されたことを、所見簡易入力起動指示として受け付けてもよい。
【００２２】
次に、図２に示すように、読影医用端末１００は、所見簡易入力起動指示を受け付けると、ディスプレイＤ２におけるマウスカーソルの表示位置の近傍を所見簡易入力画面Ｗ２の表示位置に決定する。そして、読影医用端末１００は、決定した表示位置に、所見簡易入力画面Ｗ２を表示する。所見簡易入力画面Ｗ２は、所見になる文字列を入力できるウィンドウである。また、所見簡易入力画面Ｗ２は、入力された所見になる文字列をディスプレイＤ１の所見入力欄Ｗ１に反映する「反映」のボタンを備える。
【００２３】
そして、図３に示すように、ディスプレイＤ２に所見簡易入力画面Ｗ２が表示されると、読影医は、キーボードＫを用いて、所見簡易入力画面Ｗ２に文字列を入力する。そして、読影医用端末１００は、読影医からの反映指示を受け付ける。例えば、読影医用端末１００は、読影医によって、マウスカーソルが「反映」の項目の位置に移動され、マウスＭの第１ボタンが押下されたことを、反映指示として受け付ける。
【００２４】
また、読影医用端末１００は、読影医によって、ディスプレイＤ２からディスプレイＤ１の所見入力欄Ｗ１へと、所見簡易入力画面Ｗ２がドラッグ＆ドロップされたことを、反映指示として受け付けてもよい。
【００２５】
なお、読影医用端末１００は、所見入力欄Ｗ１に既に文字列がある場合、反映された文字列によって所見入力欄Ｗ１の文字列を上書きしてもよいし、反映された文字列を所見入力欄Ｗ１に既にある文字列に追加してもよい。
【００２６】
また、ユーザは所見入力欄Ｗ２へ読影画像Ｐをドラッグ＆ドロップすることにより、読影医用端末１００は、所見入力欄Ｗ１に表示される所見の末尾に読影画像へのリンクを作成する。よって、診療科の医師が、レポートを閲覧する際に、注目すべき画像をレポートに貼り付けることができる。つまり、レポートのみを参照しながら読影時に注目した画像を確認でき、必要に応じて読影用画像の画面を立ち上げて近辺の座標位置の画像などを確認することも容易にできるようになる。
【００２７】
読影医用端末１００は、反映指示を受け付けると、所見簡易入力画面Ｗ２に入力された文字列を、ディスプレイＤ１の所見入力欄Ｗ１に反映する。これにより、読影医は、ディスプレイＤ１の所見入力欄Ｗ１にマウスカーソルを動かすことなく、所見入力欄Ｗ１に所見を入力することができるようになる。結果として、読影医のマウスＭの操作量を減らして、読影医の負担を軽減することができる。また、読影医の視点の移動が短くなり、読影医の負担を軽減することができる。そして、読影医の作業効率を向上できる。
【００２８】
（読影医用端末１００による所見簡易入力画面Ｗ２の表示例１）
次に、図４を用いて、読影医用端末１００による所見簡易入力画面Ｗ２の表示例１について説明する。
【００２９】
図４は、読影医用端末１００による所見簡易入力画面Ｗ２の表示例１を示す説明図である。図１および図２では、読影医用端末１００は、選択中の読影画像Ｐ上にマウスカーソルが存在する状態で、所見簡易入力起動指示を受け付けた。一方で、図４では、読影医用端末１００は、ディスプレイＤ２で選択中の読影画像Ｐ上ではない位置に、マウスカーソルが存在する場合であっても、読影医からのメニューＬの呼び出し、および、所見簡易入力起動指示を受け付けることができるようにする。
【００３０】
図４に示すように、読影医用端末１００は、選択中の読影画像Ｐ上ではない位置にマウスカーソルが存在する場合でも、所見簡易入力起動指示を受け付けると、ディスプレイＤ２上のマウスカーソルの近傍に所見簡易入力画面Ｗ２を表示する。これにより、読影医は、所見を入力するごとに、マウスカーソルを選択中の読影画像Ｐ上に移動させずに済むため、読影医のマウスＭの操作量を減らして負担を軽減できる。
【００３１】
（読影医用端末１００による所見簡易入力画面Ｗ２の表示例２）
次に、図５を用いて、読影医用端末１００による所見簡易入力画面Ｗ２の表示例２について説明する。
【００３２】
図５は、読影医用端末１００による所見簡易入力画面Ｗ２の表示例２を示す説明図である。図１および図２では、読影医用端末１００は、マウスカーソルの近傍に所見簡易入力画面Ｗ２の表示位置を決定した。一方で、図５では、読影医用端末１００は、ディスプレイＤ２で選択中の読影画像Ｐを、対角線の交点と隣り合う２頂点とを結んだ三角形の領域に分割する。そして、読影医用端末１００は、分割された４つの領域のうち、どの領域上にマウスカーソルが存在するかを判定することで所見簡易入力画面Ｗ２の表示位置を決定する。
【００３３】
図５に示すように、読影医用端末１００は、マウスカーソルが選択中の読影画像Ｐの下部の領域上に存在する状態で、所見簡易入力起動指示を受け付けると、選択中の読影画像Ｐの直下に所見簡易入力画面Ｗ２を表示する。
【００３４】
なお、読影医用端末１００は、マウスカーソルが読影画像Ｐの上部の領域に存在する状態では、選択中の読影画像Ｐの直上に所見簡易入力画面Ｗ２を表示する。読影医用端末１００は、マウスカーソルが読影画像Ｐの左部の領域に存在する状態では、選択中の読影画像Ｐの左に所見簡易入力画面Ｗ２を表示し、マウスカーソルが読影画像Ｐの右部の領域に存在する状態では、選択中の読影画像Ｐの右に所見簡易入力画面Ｗ２を表示する。
【００３５】
これにより、読影医用端末１００は、所見簡易入力画面Ｗ２が選択中の読影画像Ｐに重ねて表示されることで、選択中の読影画像Ｐが隠れてしまうことを回避できる。そして、読影医は、所見簡易入力画面Ｗ２によって、所見の作成に使用する選択中の読影画像Ｐが隠れてしまうといった不便を被ることがなくなる。
【００３６】
（読影医用端末１００による所見簡易入力画面Ｗ２の表示例３）
次に、図６および図７を用いて、読影医用端末１００による所見簡易入力画面Ｗ２の表示例３について説明する。
【００３７】
図６および図７は、読影医用端末１００による所見簡易入力画面Ｗ２の表示例３を示す説明図である。図１および図２では、読影医用端末１００は、マウスカーソルの近傍に所見簡易入力画面Ｗ２の表示位置を決定した。一方で、図６では、読影医用端末１００は、マウスカーソルの近傍で、かつ、ディスプレイＤ２に表示されている読影画像Ｐの影の部分に重ならないように、所見簡易入力画面Ｗ２の表示位置を決定する。
【００３８】
まず、図６に示すように、読影医用端末１００は、読影画像Ｐの影が写っている場所に重ならずに、所見簡易入力画面Ｗ２を表示可能な矩形の領域を特定する。具体的には、読影医用端末１００は、領域６０１、領域６０２、および領域６０３を特定する。
【００３９】
そして、図７に示すように、読影医用端末１００は、特定した領域のうち、面積の一番大きい領域に、所見簡易入力画面Ｗ２を表示する。ここでは、読影医用端末１００は、図６に示した領域６０３の位置に所見簡易入力画面Ｗ２を表示する。これにより、読影医用端末１００は、所見簡易入力画面Ｗ２が読影画像Ｐに重ねて表示されることで、読影画像Ｐが隠れてしまうことを回避できる。そして、読影医は、所見簡易入力画面Ｗ２によって、所見の作成に使用する読影画像Ｐが隠れてしまうといった不便を被ることがなくなる。
【００４０】
（マルチディスプレイにおける読影医用端末１００による表示支援の具体例１）
次に、図８を用いて、マルチディスプレイにおける読影医用端末１００による表示支援の具体例１について説明する。
【００４１】
図８は、マルチディスプレイにおける読影医用端末１００による表示支援の具体例１を示す説明図である。図８では、読影医用端末１００は、高解像度なディスプレイＤ２における文字表示サイズを大きく設定することで、読影医の利便性を向上させる。
【００４２】
具体的には、例えば、読影医用端末１００は、ディスプレイＤ１の解像度に対するディスプレイＤ２の解像度の比率を算出し、ディスプレイＤ１における文字表示サイズに算出した比率を乗じた値を、ディスプレイＤ２における文字表示サイズに設定する。これにより、読影医用端末１００は、所見簡易入力画面Ｗ２の文字表示サイズを大きくして、読影医の利便性を向上させる。
【００４３】
（マルチディスプレイにおける読影医用端末１００による表示支援の具体例２）
次に、図９を用いて、マルチディスプレイにおける読影医用端末１００による表示支援の具体例２について説明する。
【００４４】
図９は、マルチディスプレイにおける読影医用端末１００による表示支援の具体例２を示す説明図である。図９では、読影医用端末１００は、読影医からの表示指示を受け付けて、ディスプレイＤ１に表示されている患者の情報をディスプレイＤ２に表示する。
【００４５】
具体的には、例えば、読影医用端末１００は、読影医によって、マウスカーソルが「表示」ボタン上に存在する状態で、マウスＭの第１ボタンが押下されることによって、表示指示を受け付ける。また、この際、読影医用端末１００は、高解像度なディスプレイＤ２における文字表示サイズを大きく設定することで、読影医の利便性を向上させる。
【００４６】
なお、読影医用端末１００は、タブＴの操作により前回の所見が表示された状態で、表示指示を受けた場合、ディスプレイＤ１に表示されている前回の所見をディスプレイＤ２に表示してもよい。また、読影医用端末１００は、読影医によって、ディスプレイＤ１からディスプレイＤ２へと、「基本情報」のタブＴがドラッグ＆ドロップされることで、表示指示を受け付けてもよい。
【００４７】
これにより、読影医は、同一ディスプレイ上で、患者の情報と読影画像Ｐとを見ることができるようになり、ディスプレイＤ１に表示されている患者の情報を見るために視線を移動させなくて済むため、負担が軽減される。
【００４８】
（情報処理システムの一例）
図１０は、実施の形態１にかかる情報処理システムの一例を示す説明図である。図１０において、情報処理システム１０００は、主治医用端末１０１０と、電子カルテサーバ１０２０と、読影医用端末１００と、読影医用システム１０３０とが、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワーク１０４０を介して接続されている。
【００４９】
主治医用端末１０１０は、主治医によって操作されるコンピュータである。主治医用端末１０１０は、主治医の操作によって、電子カルテになる説明文書データを電子カルテサーバ１０２０へ送信する。また、主治医用端末１０１０は、主治医の操作によって、読影医へ依頼する撮影内容を電子カルテサーバ１０２０へ送信する。
【００５０】
電子カルテサーバ１０２０は、電子カルテＤＢ（ＤａｔａＢａｓｅ）１０２１を有する。電子カルテＤＢ１０２１には、患者ＩＤごとに電子化されたカルテが記憶されている。患者ＩＤとは、患者ごとに設定されている識別番号である。また、電子カルテＤＢ１０２１には、主治医用端末１０１０から送信された説明文書データが記憶されている。電子カルテＤＢ１０２１の詳細は、図１２に後述する。
【００５１】
読影医用端末１００は、主に読影医によって操作されるコンピュータである。読影医とは、主治医からの依頼に応じて撮影された読影画像Ｐに対する所見を作成する医師である。読影医用端末１００は、例えば、読影医から文字列が入力されることにより、所見文書データを作成する。
【００５２】
読影医用システム１０３０は、読影医用サーバ１０３１と撮影装置１０３２とを有する。読影医用サーバ１０３１は、読影医用システムＤＢ１０３３を有する。撮影装置１０３２には、例えば、ＣＴ機器や、ＭＲＩ機器や、ＲＩ機器などがある。この撮影装置１０３２は、例えば、読影医から依頼を受けた放射線技師によって操作される。
【００５３】
読影医用システムＤＢ１０３３は、画像ＤＢ１０３４と所見ＤＢ１０３５とを含む。画像ＤＢ１０３４は、撮影装置１０３２によって撮影された画像データが記憶されている。
【００５４】
所見ＤＢ１０３５は、読影医用端末１００により作成された所見文書データがオーダ番号に関連付いて記憶されている。オーダ番号は、主治医によって撮影依頼が作成された際に設定される一意的な番号である。所見ＤＢ１０３５の詳細は、図１３に後述する。
【００５５】
情報処理システム１０００において、主治医は、主治医用端末１０１０を使用して、電子カルテＤＢ１０２１に、撮影内容を格納する。電子カルテＤＢ１０２１に記憶された撮影内容に基づいて、読影医は、放射線技師に撮影を依頼する。そして、読影医は、撮影された読影画像Ｐに基づいて、読影医用端末１００を使用して、所見を作成し、所見ＤＢ１０３５に格納する。
【００５６】
（読影医用端末１００のハードウェア構成例）
図１１は、実施の形態１にかかる読影医用端末１００のハードウェア構成例を示すブロック図である。図１１において、読影医用端末１００は、ＣＰＵ（Ｃｅｎｔｒａｌ  Ｐｒｏｃｅｓｓｉｎｇ  Ｕｎｉｔ）１１０１と、ＲＯＭ（Ｒｅａｄ‐Ｏｎｌｙ  Ｍｅｍｏｒｙ）１１０２と、ＲＡＭ（Ｒａｎｄｏｍ  Ａｃｃｅｓｓ  Ｍｅｍｏｒｙ）１１０３と、磁気ディスクドライブ１１０４と、磁気ディスク１１０５と、光ディスクドライブ１１０６と、光ディスク１１０７と、Ｉ／Ｆ（Ｉｎｔｅｒｆａｃｅ）１１０８と、を備えている。また、各構成部はバス１１００によってそれぞれ接続されている。
【００５７】
ここで、ＣＰＵ１１０１は、読影医用端末１００の全体の制御を司る。ＲＯＭ１１０２は、ブートプログラムなどのプログラムを記憶している。ＲＡＭ１１０３は、ＣＰＵ１１０１のワークエリアとして使用される。磁気ディスクドライブ１１０４は、ＣＰＵ１１０１の制御にしたがって磁気ディスク１１０５に対するデータのリード／ライトを制御する。磁気ディスク１１０５は、磁気ディスクドライブ１１０４の制御で書き込まれたデータを記憶する。
【００５８】
光ディスクドライブ１１０６は、ＣＰＵ１１０１の制御にしたがって光ディスク１１０７に対するデータのリード／ライトを制御する。光ディスク１１０７は、光ディスクドライブ１１０６の制御で書き込まれたデータを記憶したり、光ディスク１１０７に記憶されたデータをコンピュータに読み取らせたりする。
【００５９】
インターフェース（以下、「Ｉ／Ｆ」と略する。）１１０８は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどのネットワーク１０４０に接続され、このネットワーク１０４０を介して他の装置に接続される。そして、Ｉ／Ｆ１１０８は、ネットワーク１０４０と内部のインターフェースを司り、外部装置からのデータの入出力を制御する。Ｉ／Ｆ１１０８には、例えばモデムやＬＡＮアダプタなどを採用することができる。
【００６０】
（電子カルテＤＢ１０２１の記憶内容）
次に、図１２を用いて、電子カルテＤＢ１０２１の記憶内容について説明する。電子カルテＤＢ１０２１は、例えば、電子カルテサーバ１０２０のＲＯＭ、ＲＡＭ、磁気ディスク、光ディスクなどの記憶装置により実現される。
【００６１】
図１２は、電子カルテＤＢ１０２１の記憶内容の一例を示す説明図である。図１２において、電子カルテＤＢ１０２１は、患者ＩＤ、氏名、性別、年齢、オーダ番号、撮影内容、所見ポインタ、および画像ポインタのフィールドを有する。各フィールドに情報を設定することで、電子カルテ特性データ１２２２−１〜１２２２−ｍがレコードとして記憶されている。
【００６２】
ここで、氏名は、患者の姓名である。性別は、患者の性をあらわす種別である。年齢は、患者が生まれてから経過した年数を示す数値である。撮影内容は、主治医による撮影依頼の内容であり、例えば、撮影箇所と撮影方法とを含む。撮影箇所とは、患者を撮影した位置や部位を示し、具体的には、例えば、頭部、胸部、腹部、などである。撮影方法とは、撮影方式の種別を示し、例えば、ＣＴ、ＭＲＩなどである。患者ＩＤ、氏名、年齢、オーダ番号、撮影内容は、例えば、主治医用端末１０１０が主治医による撮影要求を受け付けた場合に発行され、主治医用端末１０１０から電子カルテサーバ１０２０が受信する。
【００６３】
また、所見ポインタは、オーダ番号に対応した所見文書データが格納されている読影医用システムＤＢ１０３３内のアドレスを示している。電子カルテサーバ１０２０は、主治医用端末１０１０から所見文書データの取得要求を受信した場合に、所見ポインタを参照して読影医用サーバ１０３１から所見文書データを取得する。そして、電子カルテサーバ１０２０は、取得した所見文書データを主治医用端末１０１０へ送信する。所見ポインタは、読影医用サーバ１０３１によって所見文書データが記憶された際に、読影医用サーバ１０３１から電子カルテサーバ１０２０へ送信され、記憶される。
【００６４】
画像ポインタは、オーダ番号に対応した画像データが格納されている読影医用システムＤＢ１０３３内のアドレスを示している。電子カルテサーバ１０２０は、主治医用端末１０１０から画像データの取得要求を受信した場合に、画像ポインタを参照して読影医用サーバ１０３１から画像データを取得する。そして、電子カルテサーバ１０２０は、取得した画像データを主治医用端末１０１０へ送信する。画像ポインタは、読影医用サーバ１０３１によって画像データが記憶された際に、読影医用サーバ１０３１から電子カルテサーバ１０２０へ送信され、記憶される。
【００６５】
一例として、電子カルテ特性データ１２２２−１を例に挙げると、患者ＩＤ「００００００００１」、氏名「トウキョウ  キョウコ」、性別「女」、年齢「５４」、オーダ番号「＃００００００００１」、撮影内容「腹部、ＣＴ」、所見ポインタ「ｓ／２０１１／２／１／ｃｔ／＃１〜ｓ／２０１１／２／１／ｃｔ／＃３」、画像ポインタ「ｇ／２０１１／２／１／ｃｔ／＃１〜ｇ／２０１１／２／１／ｃｔ／＃３」が記憶されている。
【００６６】
（所見ＤＢ１０３５の記憶内容）
次に、図１３を用いて、所見ＤＢ１０３５の記憶内容について説明する。所見ＤＢ１０３５は、例えば、読影医用サーバ１０３１のＲＯＭ、ＲＡＭ、磁気ディスク、光ディスクなどの記憶装置により実現される。
【００６７】
図１３は、所見ＤＢ１０３５の記憶内容の一例を示す説明図である。図１３において、所見ＤＢ１０３５は、オーダ番号および所見内容のフィールドを有する。各フィールドに情報を設定することで、所見特性データ１３００−１〜１３００−ｌがレコードとして記憶されている。
【００６８】
ここで、オーダ番号は、読影医用端末１００によって所見内容が書き込まれる際に記憶される。所見内容は、オーダ番号ごとに記憶されている所見文書データの文字列である。所見内容は、所見ＤＢ１０３５が読影医用端末１００から所見文書データを受信する際に記憶される。
【００６９】
一例として、所見特性データ１３００−１を例に挙げると、オーダ番号「＃００００００００１」、所見内容「１）腎・尿管に異常ありません。２）左胸部に少量の腹水がありますが、病的意義はありません。」が記憶されている。
【００７０】
（読影医用端末１００の機能的構成例）
次に、読影医用端末１００の機能的構成例について説明する。図１４は、読影医用端末１００の機能的構成を示すブロック図である。読影医用端末１００は、受付部１４０１と、取得部１４０２と、決定部１４０３と、表示制御部１４０４と、設定部１４０５と、を含む構成である。この制御部となる機能（受付部１４０１〜設定部１４０５）は、具体的には、例えば、図１１に示したＲＯＭ１１０２、ＲＡＭ１１０３、磁気ディスク１１０５、光ディスク１１０７などの記憶装置に記憶されたプログラムをＣＰＵ１１０１に実行させることにより、または、Ｉ／Ｆ１１０８により、その機能を実現する。
【００７１】
受付部１４０１は、第１の表示装置での第１の入力領域へ表示する情報の入力を受け付ける第２の入力領域の起動指示を、第２の表示装置上で受け付ける機能を有する。ここで、第１の表示装置とは、読影医用端末１００の制御により画像を表示する装置であり、例えば、上述したディスプレイＤ１である。第２の表示装置とは、読影医用端末１００の制御により画像を表示する装置であり、例えば、上述したディスプレイＤ２である。第１の入力領域とは、キーボードＫやマウスＭによって文字列や図形が入力される領域であり、例えば、上述した所見入力欄Ｗ１である。入力領域へ表示する情報とは、例えば、上述した所見である。第２の入力領域とは、第１の入力領域に入力すべき情報を入力できる領域であり、例えば、上述した所見簡易入力画面Ｗ２である。
【００７２】
具体的には、例えば、受付部１４０１は、読影医によって、ディスプレイＤ２に表示されたコンテキストメニューＬの「所見簡易入力」の項目の位置にマウスカーソルが移動された状態で、マウスＭの第１ボタンが押下されたことを、所見簡易入力起動指示として受け付ける。なお、受付部１４０１は、読影医によってマウスＭが操作されたことに限らず、読影医によってキーボードＫが操作されたことを、所見簡易入力起動指示として受け付けてもよい。
【００７３】
また、受付部１４０１は、第２の入力領域に入力された情報の第１の入力領域への反映指示を受け付ける機能を有する。反映指示とは、第２の入力領域に入力された情報を、第１の入力領域に反映させる処理を開始するトリガとなる指示である。具体的には、例えば、受付部１４０１は、読影医によって、マウスカーソルが「反映」の項目の位置に移動され、マウスＭの第１ボタンが押下されたことを、反映指示として受け付ける。なお、受付部１４０１は、読影医によってマウスＭが操作されたことに限らず、読影医によってキーボードＫが操作されたことを、反映指示として受け付けてもよい。
【００７４】
また、受付部１４０１は、第１の表示装置で表示されている特定の文字列を第２の表示装置で表示させる表示指示を受け付ける機能を有する。具体的には、例えば、受付部１４０１は、読影医によって、マウスカーソルが「表示」ボタン上に存在する状態で、マウスＭの第１ボタンが押下されたことを、表示指示として受け付ける。また、受付部１４０１は、読影医によって、ディスプレイＤ１からディスプレイＤ２へと、タブＴがドラッグ＆ドロップされたことを、表示指示として受け付けてもよい。なお、受付部１４０１は、読影医によってマウスＭが操作されたことに限らず、読影医によってキーボードＫが操作されたことを、表示指示として受け付けてもよい。
【００７５】
取得部１４０２は、受付部１４０１によって起動指示が受け付けられたときの第２の表示装置でのカーソルの位置を取得する機能を有する。カーソルとは、画面上で、指示や操作の対象を視覚的に示すユーザインターフェースであり、例えば、上述したマウスカーソルである。具体的には、例えば、取得部１４０２は、受付部１４０１によって所見簡易入力起動指示が受け付けられたときのディスプレイＤ２でのマウスカーソルの位置（例えば、スクリーン座標系におけるＸ座標とＹ座標）を取得する。なお、取得されたデータは、ＲＡＭ１１０３、磁気ディスク１１０５、光ディスク１１０７などの記憶領域に記憶される。これにより、取得部１４０２は、所見簡易入力画面Ｗ２の表示位置を決定する指標になるマウスカーソルの座標を取得することができる。
【００７６】
決定部１４０３は、第２の入力領域の第２の表示装置での表示位置を、取得部１４０２によって取得されたカーソルの位置に基づいて決定する機能を有する。
【００７７】
具体的には、例えば、決定部１４０３は、第２の表示装置で表示される複数のデータのうち、ユーザにより指定された一のデータを表示する表示領域内にカーソルが位置する場合、第２の入力領域の第２の表示装置での表示位置を、カーソルの位置に決定する。ここで、ユーザとは、読影医用端末１００の利用者であり、例えば、上述した読影医である。複数のデータとは、例えば、上述した患者に関する複数の読影画像Ｐのデータである。ユーザにより指定された一のデータとは、例えば、上述した選択中の読影画像Ｐのデータである。
【００７８】
より具体的には、例えば、決定部１４０３は、図２に示したように、取得部１４０２によって取得されたディスプレイＤ２でのマウスカーソルの位置を、所見簡易入力画面Ｗ２の表示位置に決定する。これにより、決定部１４０３は、マウスカーソルの位置の近傍を、所見簡易入力画面Ｗ２を表示する位置に決定できる。なお、決定部１４０３は、図４に示したように、マウスカーソルが選択中の読影画像Ｐ上にない場合であっても、マウスカーソルの位置の近傍を、所見簡易入力画面Ｗ２の表示位置に決定してもよい。
【００７９】
また、具体的には、例えば、決定部１４０３は、第２の表示装置で表示される複数のデータのうち、ユーザにより指定された一のデータを表示する表示領域内にカーソルが位置する場合、第２の入力領域の第２の表示装置での表示位置を、第２の表示装置の表示領域のうち一のデータの表示領域以外の領域に決定する。より具体的には、例えば、決定部１４０３は、図５に示したように、取得部１４０２によって取得されたディスプレイＤ２でのマウスカーソルの位置が選択中の読影画像Ｐ上である場合、選択中の読影画像Ｐと所見簡易入力画面Ｗ２とが重ならないように、所見簡易入力画面Ｗ２の表示位置を決定する。
【００８０】
これにより、決定部１４０３は、マウスカーソルの位置の近傍を、所見簡易入力画面Ｗ２を表示する位置に決定できる。また、決定部１４０３は、所見簡易入力画面Ｗ２が選択中の読影画像Ｐに重ねて表示されることで、選択中の読影画像Ｐが隠れてしまうことを回避できる。結果として、読影医は、所見簡易入力画面Ｗ２によって、所見の作成に使用する選択中の読影画像Ｐが隠れてしまうといった不便を被ることがなくなる。
【００８１】
また、具体的には、例えば、決定部１４０３は、第２の表示装置で表示される複数のデータのうち、ユーザにより指定された一のデータを表示する表示領域内にカーソルが位置する場合、他のデータの表示領域のうち一の画像データの表示領域に隣接する隣接表示領域であって、かつカーソルの位置に最も近い隣接表示領域に、第２の入力領域の表示位置を決定する。
【００８２】
より具体的には、例えば、決定部１４０３は、図５に示したように、ディスプレイＤ２で選択中の読影画像Ｐを、対角線の交点と隣り合う２頂点とを結んだ三角形の領域に分割する。そして、決定部１４０３は、マウスカーソルが選択中の読影画像Ｐの下部の領域上に存在する状態で、所見簡易入力起動指示を受け付けると、選択中の読影画像Ｐの直下に所見簡易入力画面Ｗ２を表示する。
【００８３】
なお、決定部１４０３は、マウスカーソルが読影画像Ｐの上部の領域に存在する状態では、選択中の読影画像Ｐの直上に所見簡易入力画面Ｗ２を表示する。決定部１４０３は、マウスカーソルが読影画像Ｐの左部の領域に存在する状態では、選択中の読影画像Ｐの左に所見簡易入力画面Ｗ２を表示し、マウスカーソルが読影画像Ｐの右部の領域に存在する状態では、選択中の読影画像Ｐの右に所見簡易入力画面Ｗ２を表示する。
【００８４】
これにより、決定部１４０３は、所見簡易入力画面Ｗ２が選択中の読影画像Ｐに重ねて表示されることで、選択中の読影画像Ｐが隠れてしまうことを回避できる。結果として、読影医は、所見簡易入力画面Ｗ２によって、所見の作成に使用する選択中の読影画像Ｐが隠れてしまうといった不便を被ることがなくなる。
【００８５】
また、具体的には、例えば、決定部１４０３は、第２の表示装置で表示される複数の画像データのうちユーザに指定された一の画像データの表示領域に含まれる被写体以外を表示する領域と、一の画像データの表示領域と隣接する他の画像データの表示領域の少なくとも一部とを含む非重複領域に、第２の入力領域の表示位置を決定する。ここで、被重複領域とは、読影画像Ｐの被写体の影が写っている部分に重ならない矩形の領域である。
【００８６】
このとき、決定部１４０３は、非重複領域が複数候補存在する場合、第２の入力領域の第２の表示装置での表示位置を、最大面積の非重複領域に決定してもよい。また、このとき、決定部１４０３は、非重複領域が複数候補存在する場合、所定の基準に満たない候補を除外してもよい。
【００８７】
より具体的には、例えば、決定部１４０３は、図６および図７に示したように、選択中の読影画像Ｐと、選択中の読影画像Ｐの周辺の読影画像Ｐと、のそれぞれに写った影の部分を囲む矩形を算出し、さらに、それぞれの矩形と交わらない矩形の領域を算出する。ここで、決定部１４０３は、算出した矩形の領域が複数存在する場合、複数の矩形の領域の中で、選択中の読影画像Ｐに重なり、かつ面積が最大になる領域を、所見簡易入力画面Ｗ２の表示位置に決定してもよい。また、ここで、決定部１４０３は、算出した矩形の領域が複数存在する場合、複数の矩形の領域の中で、所定の基準に満たない領域（例えば、横幅が閾値以下である領域）を、所見簡易入力画面Ｗ２の表示位置にしなくてもよい。
【００８８】
これにより、決定部１４０３は、所定の基準を満たした所見簡易入力画面Ｗ２のみを表示できる。また、決定部１４０３は、ディスプレイＤ２に表示される読影画像Ｐの影に重なることなく、所見簡易入力画面Ｗ２を表示できる位置を決定できる。なお、決定結果は、ＲＡＭ１１０３、磁気ディスク１１０５、光ディスク１１０７などの記憶領域に記憶される。
【００８９】
表示制御部１４０４は、決定部１４０３によって決定された表示位置に第２の入力領域を表示させる機能を有する。具体的には、例えば、表示制御部１４０４は、決定部１４０３によって決定された表示位置となる領域上に、所見簡易入力画面Ｗ２を表示する。これにより、読影医は、所見を入力することができるようになる。
【００９０】
また、表示制御部１４０４は、受付部１４０１によって反映指示が受け付けられたときに第２の入力領域に表示されている情報を、第１の入力領域に表示させる機能を有する。具体的には、例えば、表示制御部１４０４は、受付部１４０１によって反映指示が受け付けられたときに所見簡易入力画面Ｗ２に表示されている文字列を、ディスプレイＤ１の所見入力欄Ｗ１に反映する。これにより、読影医は、ディスプレイＤ１の所見入力欄Ｗ１にマウスカーソルを動かすことなく、所見入力欄Ｗ１に所見を入力することができるようになる。
【００９１】
また、表示制御部１４０４は、第２の入力領域に入力された文字列を設定部１４０５によって設定された文字表示サイズで表示させる機能を有する。具体的には、例えば、表示制御部１４０４は、高解像度なディスプレイＤ２における文字表示サイズを、設定部１４０５によって設定された文字表示サイズで表示させる。これにより、表示制御部１４０４は、所見簡易入力画面Ｗ２の文字表示サイズを大きくして、読影医の利便性を向上させる。
【００９２】
また、表示制御部１４０４は、受付部１４０１によって表示指示が受け付けられた特定の文字列を、設定部１４０５によって設定された文字表示サイズで第２の表示装置に表示させる機能を有する。具体的には、例えば、表示制御部１４０４は、ディスプレイＤ１に表示されている情報をディスプレイＤ２に表示させる場合、高解像度なディスプレイＤ２における文字表示サイズを、設定部１４０５によって設定された文字表示サイズで表示させる。これにより、表示制御部１４０４は、同一ディスプレイ上で大きな文字表示サイズで、患者の情報と所見簡易入力画面Ｗ２とを表示して、読影医の利便性を向上させることができる。
【００９３】
設定部１４０５は、第２の入力領域が第２の表示装置で表示された場合、第２の表示装置での文字表示サイズを、第１の表示装置での現在の文字表示サイズと第１の解像度と第２の解像度とに基づいて設定する機能を有する。具体的には、例えば、設定部１４０５は、ディスプレイＤ２の解像度がディスプレイＤ１の解像度の２倍である場合、ディスプレイＤ１での文字表示サイズの２倍のサイズを、ディスプレイＤ２の文字表示サイズに設定する。これにより、所見簡易入力画面Ｗ２の文字表示サイズを設定することができる。
【００９４】
また、設定部１４０５は、第２の表示装置での文字表示サイズを、第１の表示装置での現在の文字表示サイズと第１の解像度と第２の解像度とに基づいて設定する機能を有する。具体的には、例えば、設定部１４０５は、ディスプレイＤ２の解像度がディスプレイＤ１の解像度の２倍である場合、ディスプレイＤ１での文字表示サイズの２倍のサイズを、ディスプレイＤ２の文字表示サイズに設定する。これにより、ディスプレイＤ１に表示されている情報をディスプレイＤ２に表示する際の文字表示サイズを設定することができる。
【００９５】
（表示制御処理の処理内容の詳細）
次に、図１５を用いて、表示制御処理の処理内容の詳細について説明する。表示制御処理は、読影医用端末１００による所見簡易入力画面Ｗ２の表示を制御する処理である。
【００９６】
図１５は、表示制御処理の処理内容の詳細を示すフローチャートである。まず、ＣＰＵ１１０１は、所見簡易入力起動指示があるか否かを判定する（ステップＳ１５０１）。ここで、所見簡易入力起動指示がない場合（ステップＳ１５０１：Ｎｏ）、ＣＰＵ１１０１は、ステップＳ１５０１に戻り、所見簡易入力起動指示を待つ。
【００９７】
一方、所見簡易入力起動指示がある場合（ステップＳ１５０１：Ｙｅｓ）、ＣＰＵ１１０１は、マウスカーソルの座標値を取得する（ステップＳ１５０２）。次に、ＣＰＵ１１０１は、所見簡易入力画面Ｗ２の表示位置を決定する（ステップＳ１５０３）。そして、ＣＰＵ１１０１は、所見簡易入力画面Ｗ２を決定位置に表示する（ステップＳ１５０４）。
【００９８】
次に、ＣＰＵ１１０１は、反映指示があるか否かを判定する（ステップＳ１５０５）。ここで、反映指示がある場合（ステップＳ１５０５：Ｙｅｓ）、ＣＰＵ１１０１は、所見簡易入力画面Ｗ２内の文字列を所見入力欄Ｗ１に反映させて（ステップＳ１５０６）、ステップＳ１５０５に戻る。
【００９９】
一方、反映指示がない場合（ステップＳ１５０５：Ｎｏ）、ＣＰＵ１１０１は、終了するか否かを判定する（ステップＳ１５０７）。ここで、終了しない場合（ステップＳ１５０７：Ｎｏ）、ＣＰＵ１１０１は、ステップＳ１５０５に戻る。
【０１００】
一方、終了する場合（ステップＳ１５０７：Ｙｅｓ）、ＣＰＵ１１０１は、反映指示入力ダイアログを表示する（ステップＳ１５０８）。次に、ＣＰＵ１１０１は、反映指示があるか否かを判定する（ステップＳ１５０９）。
【０１０１】
ここで、反映指示がある場合（ステップＳ１５０９：Ｙｅｓ）、ＣＰＵ１１０１は、所見簡易入力画面Ｗ２内の文字列を所見入力欄Ｗ１に反映させて（ステップＳ１５１０）、処理を終了する。一方、反映指示がない場合（ステップＳ１５０９：Ｎｏ）、ＣＰＵ１１０１は、表示制御処理を終了する。
【０１０２】
これにより、読影医用端末１００は、マウスカーソルの近傍に所見簡易入力画面Ｗ２を表示して所見簡易入力画面に所見を入力できるようにすることで、所見を入力する際の読影医のマウス操作量を減らして負担を軽減させることができる。また、読影医用端末１００は、所見簡易入力画面Ｗ２に入力された文字列を所見入力欄Ｗ１に自動反映させることで、読影医の負担を軽減させることができる。
【０１０３】
以上説明したように、読影医用端末１００は、ディスプレイＤ１に表示される所見入力欄Ｗ１に入力すべき所見をディスプレイＤ２上で入力可能な所見簡易入力画面Ｗ２を、ディスプレイＤ２に表示する。これにより、読影医は、ディスプレイＤ１の所見入力欄Ｗ１にマウスカーソルを動かすことなく、ディスプレイＤ２上で所見を入力することができるようになる。結果として、読影医のマウスＭの操作量を減らすことができ、読影医の負担を軽減することができる。また、読影医の視点の移動量を減らすことができ、読影医の負担を軽減することができる。また、所見簡易入力画面Ｗ２は、マウスカーソルの近傍に表示されるため、読影医は、所見簡易入力画面Ｗ２の表示位置を直感的に把握することができ、表示された所見簡易入力画面Ｗ２を即座に見つけることができる。
【０１０４】
読影医用端末１００は、ディスプレイＤ２に表示されている選択中の読影画像Ｐに重ならないように、所見簡易入力画面Ｗ２を表示するため、所見簡易入力画面Ｗ２が選択中の読影画像Ｐに重ねて表示され、選択中の読影画像Ｐが隠れてしまうことを回避できる。そして、読影医は、所見簡易入力画面Ｗ２によって、所見の作成に使用する選択中の読影画像Ｐが隠れてしまうといった不便を被ることがなくなる。
【０１０５】
読影医用端末１００は、マウスカーソルの近傍で、かつ、ディスプレイＤ２に表示されている選択中の読影画像Ｐに重ならないように所見簡易入力画面Ｗ２を表示する。これにより、読影医用端末１００は、所見簡易入力画面Ｗ２が選択中の読影画像Ｐに重ねて表示され、選択中の読影画像Ｐが隠れてしまうことを回避できる。そして、読影医は、所見簡易入力画面Ｗ２によって、所見の作成に使用する選択中の読影画像Ｐが隠れてしまうといった不便を被ることがなくなる。また、所見簡易入力画面Ｗ２は、マウスカーソルの近傍に表示されるため、読影医は、所見簡易入力画面Ｗ２の表示位置を直感的に把握することができる。
【０１０６】
また、読影医用端末１００は、マウスカーソルの近傍で、かつ、ディスプレイＤ２に表示されている読影画像Ｐの影の部分に重ならないように、所見簡易入力画面Ｗ２を表示する。これにより、読影医用端末１００は、所見簡易入力画面Ｗ２が読影画像Ｐの影の部分に重ねて表示されることで、読影画像Ｐの影が隠れてしまうことを回避できる。そして、読影医は、所見簡易入力画面Ｗ２によって、所見の作成に使用する選択中の読影画像Ｐが隠れてしまうといった不便を被ることがなくなる。また、所見簡易入力画面Ｗ２は、マウスカーソルの近傍に表示されるため、読影医は、所見簡易入力画面Ｗ２の表示位置を直感的に把握することができる。
【０１０７】
また、読影医用端末１００は、複数の所見簡易入力画面Ｗ２の表示領域の候補があった場合、面積が最大になる表示領域の候補を、所見簡易入力画面Ｗ２の表示領域に決定する。これにより、読影医が使用できる入力領域が広くなり、利便性を向上できる。
【０１０８】
また、読影医用端末１００は、複数の所見簡易入力画面Ｗ２の表示領域の候補があった場合、所定の基準に満たない表示領域の候補を、所見簡易入力画面Ｗ２の表示領域にしない。これにより、例えば、横幅が狭く縦幅が長いといった細長い形状であって、１行に１文字ずつしか入力できない表示領域の候補は、例え面積が大きくとも、入力には適さないとして所見簡易入力画面Ｗ２の表示領域にしない。そして、読影医が使用する入力領域が入力に適した領域になり、利便性を向上できる。
【０１０９】
読影医用端末１００は、ディスプレイＤ２に表示されている所見簡易入力画面Ｗ２に入力された所見を、ディスプレイＤ１に表示されている所見入力欄Ｗ１に反映させるため、読影医の入力を支援できる。読影医用端末１００は、ディスプレイＤ１とディスプレイＤ２のそれぞれの解像度に応じて、文字表示サイズを設定することで、読影医の利便性を向上できる。読影医用端末１００は、ディスプレイＤ１に表示されている情報を、ディスプレイＤ２に表示できるようにするため、ディスプレイＤ２に情報を集約することができ、利便性を向上できる。
【０１１０】
なお、本実施の形態で説明した情報処理方法は、予め用意されたプログラムをパーソナル・コンピュータやワークステーション等のコンピュータで実行することにより実現することができる。本情報処理プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本情報処理プログラムは、インターネット等のネットワークを介して配布してもよい。
【０１１１】
上述した実施の形態に関し、さらに以下の付記を開示する。
【０１１２】
（付記１）第１の解像度で表示する第１の表示装置と第２の解像度で表示する第２の表示装置とに情報を表示する情報処理装置であって、
前記第１の表示装置での第１の入力領域へ表示する情報の入力を受け付ける第２の入力領域の起動指示を、前記第２の表示装置上で受け付ける受付部と、
前記受付部によって前記起動指示が受け付けられたときの前記第２の表示装置でのカーソルの位置を取得する取得部と、
前記第２の入力領域の前記第２の表示装置での表示位置を、前記取得部によって取得された前記カーソルの位置に基づいて決定する決定部と、
前記決定部によって決定された前記表示位置に前記第２の入力領域を表示させる表示制御部と、
を備えることを特徴とする情報処理装置。
【０１１３】
（付記２）前記決定部は、
前記第２の表示装置で表示される複数のデータのうち、ユーザにより指定された一のデータを表示する表示領域内に前記カーソルが位置する場合、前記第２の入力領域の前記第２の表示装置での表示位置を、前記カーソルの位置に決定することを特徴とする付記１に記載の情報処理装置。
【０１１４】
（付記３）前記決定部は、
前記第２の表示装置で表示される複数のデータのうち、ユーザにより指定された一のデータを表示する表示領域内に前記カーソルが位置する場合、前記第２の入力領域の前記第２の表示装置での表示位置を、前記第２の表示装置の表示領域のうち前記一のデータの表示領域以外の領域に決定することを特徴とする付記１に記載の情報処理装置。
【０１１５】
（付記４）前記決定部は、
前記第２の表示装置で表示される複数のデータのうち、ユーザにより指定された一のデータを表示する表示領域内に前記カーソルが位置する場合、他のデータの表示領域のうち前記一の画像データの表示領域に隣接する隣接表示領域であって、かつ前記カーソルの位置に最も近い隣接表示領域に、前記第２の入力領域の表示位置を決定することを特徴とする付記１に記載の情報処理装置。
【０１１６】
（付記５）前記決定部は、
前記第２の表示装置で表示される複数の画像データのうちユーザに指定された一の画像データの表示領域に含まれる被写体以外を表示する領域と、前記一の画像データの表示領域と隣接する他の画像データの表示領域の少なくとも一部とを含む非重複領域に、前記第２の入力領域の表示位置を決定することを特徴とする付記１に記載の情報処理装置。
【０１１７】
（付記６）前記決定部は、
前記非重複領域が複数候補存在する場合、前記第２の入力領域の前記第２の表示装置での表示位置を、最大面積の非重複領域に決定することを特徴とする付記５に記載の情報処理装置。
【０１１８】
（付記７）前記決定部は、
前記非重複領域が複数候補存在する場合、所定の基準に満たない候補を除外することを特徴とする付記５または６に記載の情報処理装置。
【０１１９】
（付記８）前記受付部は、
前記第２の入力領域に入力された情報の前記第１の入力領域への反映指示を受け付け、
前記表示制御部は、
前記受付部によって反映指示が受け付けられたときに前記第２の入力領域に表示されている情報を、前記第１の入力領域に表示させることを特徴とする付記１〜７のいずれか一つに記載の情報処理装置。
【０１２０】
（付記９）前記第２の入力領域が前記第２の表示装置で表示された場合、前記第２の表示装置での文字表示サイズを、前記第１の表示装置での現在の文字表示サイズと前記第１の解像度と前記第２の解像度とに基づいて設定する設定部を備え、
前記表示制御部は、
前記第２の入力領域に入力された文字列を前記設定部によって設定された文字表示サイズで表示させることを特徴とする付記１〜８のいずれか一つに記載の情報処理装置。
【０１２１】
（付記１０）前記第２の表示装置での文字表示サイズを、前記第１の表示装置での現在の文字表示サイズと前記第１の解像度と前記第２の解像度とに基づいて設定する設定部を備え、
前記受付部は、
前記第１の表示装置で表示されている特定の文字列を前記第２の表示装置で表示させる表示指示を受け付け、
前記表示制御部は、
前記受付部によって表示指示が受け付けられた前記特定の文字列を、前記設定部によって設定された文字表示サイズで前記第２の表示装置に表示させることを特徴とする付記１〜９のいずれか一つに記載の情報処理装置。
【０１２２】
（付記１１）第１の解像度で表示する第１の表示装置と第２の解像度で表示する第２の表示装置とに情報を表示する情報処理装置が、
前記第１の表示装置での第１の入力領域へ表示する情報の入力を受け付ける第２の入力領域の起動指示を、前記第２の表示装置上で受け付け、
前記起動指示が受け付けられたときの前記第２の表示装置でのカーソルの位置を取得し、
前記第２の入力領域の前記第２の表示装置での表示位置を、取得された前記カーソルの位置に基づいて決定し、
決定された前記表示位置に前記第２の入力領域を表示させる、
処理を実行することを特徴とする情報処理方法。
【０１２３】
（付記１２）第１の解像度で表示する第１の表示装置と第２の解像度で表示する第２の表示装置とに情報を表示する情報処理装置に、
前記第１の表示装置での第１の入力領域へ表示する情報の入力を受け付ける第２の入力領域の起動指示を、前記第２の表示装置上で受け付け、
前記起動指示が受け付けられたときの前記第２の表示装置でのカーソルの位置を取得し、
前記第２の入力領域の前記第２の表示装置での表示位置を、取得された前記カーソルの位置に基づいて決定し、
決定された前記表示位置に前記第２の入力領域を表示させる、
処理を実行させることを特徴とする情報処理プログラム。
【符号の説明】
【０１２４】
１００  読影医用端末
Ｄ１，Ｄ２  ディスプレイ
Ｗ１  所見入力欄
Ｗ２  所見簡易入力画面
１４０１  受付部
１４０２  取得部
１４０３  決定部
１４０４  表示制御部
１４０５  設定部
【図１】
0005672183.tif 000002
【図２】
0005672183.tif 000003
【図３】
0005672183.tif 000004
【図４】
0005672183.tif 000005
【図５】
0005672183.tif 000006
【図６】
0005672183.tif 000007
【図７】
0005672183.tif 000008
【図８】
0005672183.tif 000009
【図９】
0005672183.tif 000010
【図１０】
0005672183.tif 000011
【図１１】
0005672183.tif 000012
【図１２】
0005672183.tif 000013
【図１３】
0005672183.tif 000014
【図１４】
0005672183.tif 000015
【図１５】
0005672183.tif 000016